(57)【要約】【課題】バスト上辺の衰えた脂肪部分を補うようにバストアップを図り、乳房の下垂及び脇流れを防ぎ、美しい乳房形状への造形性も兼ね備えた乳房カップ付女性用衣類の提供を目的とする。【解決手段】乳房カップ付女性用衣類は、乳房カップ部と肩紐とを備え、乳房カップ部は、表側カップ布と肌側カップ布とこの表側カップ布と肌側カップ布との間にバスト持上布を備え、バスト持上布は、表側カップ布及び肌側カップ布より伸縮性に優れた伸縮性素材からなり、乳房カップトップ部周辺から乳房カップアンダー部に向けた開口部を形成していて、バスト持上布の、上端部は肩紐に連結し、胸中心側部は乳房カップのアンダー部から胸中心側の縁部にわたって連結し、脇側部は乳房カップのアンダー部から脇側の縁部にわたって連結している。【選択図】  図１
2005307363.tif 000002
【特許請求の範囲】
【請求項１】
乳房カップ部と肩紐とを備え、
乳房カップ部は、表側カップ布と肌側カップ布とこの表側カップ布と肌側カップ布との間にバスト持上布を備え、
バスト持上布は、表側カップ布及び肌側カップ布より伸縮性に優れた伸縮性素材からなり乳房カップトップ部周辺から乳房カップアンダー部に向けた開口部を形成していて、
バスト持上布の、上端部は肩紐に連結し、胸中心側部は乳房カップのアンダー部から胸中心側の縁部にわたって連結し、脇側部は乳房カップのアンダー部から脇側の縁部にわたって連結していることを特徴とする乳房カップ付女性用衣類。
【請求項２】
ブラジャー、ボディースーツ、ブラジャー付きスリップのいずれかであることを特徴とする請求項１記載の乳房カップ付女性用衣類。
【発明の詳細な説明】
【技術分野】
【０００１】
本発明は、乳房を受けるカップを備えた女性用衣類に関し、特にブラジャー、ボディースーツ、ブラジャー付スリップ等の下着類に係る。
【背景技術】
【０００２】
従来から女性の乳房を美しく見せるための下着として、例えば補正用ブラジャーとしては、乳房カップ部のアンダー部等にワイヤー等を入れて乳房の形を美しく整える技術が公知である。
しかし、女性は加齢とともに乳腺葉の隙間に皮下脂肪が蓄積して乳房が柔らかくなり、乳房のカップ上辺部にあたる部分の筋力が低下してくると乳房が下垂し、脇方向へ広がるように流れるいわゆる脇流れの形となることから、乳房カップ部に設けたワイヤーだけでは、この脇流れを効果的に防止することができなかった。
例えば、特開２００２−１１５１０５号公報には、乳房カップの脇側部分近傍から下辺側部分近傍を経由して前中心近傍にわたって伸び抑制布を設けた技術が開示されている。
しかし、単に乳房カップの脇側部分近傍から前中心近傍にかけて伸びを抑制しただけでは、乳房のカップ上辺部にあたる部分の筋力が低下してくることから生じる乳房の下垂に対してはバストアップ機能が不充分であった。
【０００３】
【特許文献１】特開２００２−１１５１０５号公報
【発明の開示】
【発明が解決しようとする課題】
【０００４】
本発明は上記技術的課題に鑑みて、バスト上辺の衰えた脂肪部分を補うようにバストアップを図り、乳房の下垂及び脇流れを防ぎ、美しい乳房形状への造形性も兼ね備えた乳房カップ付女性用衣類の提供を目的とする。
【課題を解決するための手段】
【０００５】
本発明の技術的要旨は、乳房カップ付女性用衣類は、乳房カップ部と肩紐とを備え、乳房カップ部は、表側カップ布と肌側カップ布とこの表側カップ布と肌側カップ布との間にバスト持上布を備え、バスト持上布は、表側カップ布及び肌側カップ布より伸縮性に優れた伸縮性素材からなり、乳房カップトップ部周辺から乳房カップアンダー部に向けた開口部を形成していて、バスト持上布の、上端部は肩紐に連結し、胸中心側部は乳房カップのアンダー部から胸中心側の縁部にわたって連結し、脇側部は乳房カップのアンダー部から脇側の縁部にわたって連結している点である。
【０００６】
ここで、 バスト持上布として表側カップ布及び肌側カップ布より伸縮性に優れた伸縮性素材を用いたのは、下着を身に着けた際に、乳房カップ部が乳房を受けるように膨らむが、バスト持上布に伸縮性があることにより、伸びに対する弾性力が生じ、その開口部でバストの形状を整えるようにしてバストアップするからである。
従って、バスト持上布の伸縮性が表側カップ布及び肌側カップ布より優れていればよいという趣旨であり、表側カップ布あるいは肌側カップ布に伸縮性素材を使用することを否定するものではない。
なお、伸縮性に優れた素材の代表例としてはパワーネットが挙げられる。
【０００７】
バスト持上布に、乳房カップトップ部周辺から乳房カップアンダー部に向けた開口部を形成しているとは、乳房カップ付衣類装着時の使用者前側で胸中央位置近傍となるバスト持上布胸中心側部と、この胸中心側部に対して、下向き開口部を挟んだ脇側のバスト持上布脇側部とが形成されていることをいう。
また、バスト持上布に上記のように、乳房カップトップ部周辺から乳房カップアンダー部に向けた開口部を形成し、バスト持上布の、上端部は肩紐に連結し、胸中心側部（バスト持上布胸中心側部）は乳房カップのアンダー部から胸中心側縁部にわたって（表側カップ布と肌側カップ布との間にバスト持上布を挟み込むように）連結し、脇側部（バスト持上布脇側部）は乳房カップのアンダー部から脇側の縁部にわたって（表側カップ布と肌側カップ布との間にバスト持上布を挟み込むように）連結しているので、バスト持上布の下向き開口部に相当する部分は乳房カップアンダー部に連結（縫着、接着）されていないことになる。
【０００８】
使用者がこの乳房カップ付衣類を装着すると、膨らみのある乳房カップ内側に乳房を収納することになる。
乳房が下垂していると乳房カップ内側下面を押し下げつつ乳房カップを変形させようとする。
この乳房カップの変形に対して、バスト持上布は下向き開口部を設けていることから乳房による下向きの力を直接受けることはない。
また、バスト持上布は乳房カップの縁部に接合されつつも、下向き開口部周りは乳房カップに対して摺動自在となっている。
これにより乳房が垂れる下向きの押圧力により下向きの負荷が加わり下がろうとする乳房カップの肌側カップ布に対して、バスト持上布は下がらず相対的に上昇する。
そして、下向き開口部を挟んで対向しているバスト持上布脇側部とバスト持上布胸中心側部が、乳房の側面の対応部位を締め上げるように動く。
この締め上げは、乳房の肌側カップ布脇側部と肌側カップ布胸中心側部とを、単に、上方へ持ち上げる力とはならず、バスト持上布の胸中心側部と脇側部を肩紐側へ互いに引き寄せるように引き上げることとなる。
よって、バスト持上布胸中心側部とバスト持上布脇側部は乳房を側部から互いに略対向して挟みつつ肩紐側へ持ち上げるように作用する。
これにより、乳房の下垂及び脇流れを防止できるだけでなく、乳房の形状を整える造形性を備えていることになる。
ここで、乳房カップ部の乳房カップ部アンダー側縁部にワイヤーを設けると、この持ち上げを安定して行うことができる。
【０００９】
バスト持上布はパワーネット等の伸縮性の素材で形成していることから、変形性に優れ、乳房に対するフィット性にも優れている。
この乳房カップ付衣類は、ブラジャー、ボディスーツ、ブラジャー付きスリップ等に適用すると良い。
【発明の効果】
【００１０】
本発明に係る乳房カップ付衣類においては、下向き開口部を形成した伸縮性のあるバスト持上布を備えたことにより、筋力の低下等による乳房の下垂及び脇流れを防止し、かつ、乳房上部の衰えた脂肪部分を補うような、美しい形へ乳房を補正しつつバストアップを図ることが出来る。
【発明を実施するための最良の形態】
【００１１】
本発明に係る乳房カップ付衣類をブラジャーに適用した実施例により説明する。
図１は、ブラジャーを装着した状態の正面図を示し、図４にブラジャーの要部斜視図を示す。
ブラジャー３０は、図１に示すように、支持帯布３４に左右の乳房カップ部２０を縫着又は接着等により取り付け、左右の乳房カップ部の上部にはそれぞれ肩紐３１を連結した構成になっている。
なお、背中側にまわって設けられている脇布やフック部等は図示を省略してある。
乳房カップ部２０は、図３（ハ）に断面模式図を示すように、略同形状の表側カップ布２１と裏側カップ布２２とを重ね合わせている。
本発明に係る下着の特徴であるバスト持上布１０は、表側カップ布２１と肌側カップ布２２との間に配置している。
バスト持上布１０は、図１及び、図３（イ）の左カップ用部品図に示すように、紡錘形状に、乳房カップトップ部周辺２３ａから乳房カップアンダー部２３ｂにかけて開口した下向きの開口部１４を形成している。
バスト持上布１０はパワーネット等の伸縮性素材を用いて製作されている。
図３（イ）はバスト持上布１０の変形前の形状を表し、図３（ロ）は装着により変形する状態を模式的に表しているが、動きについては後述する。
バスト持上布１０に、乳房カップトップ部周辺２３ａから乳房カップアンダー部２３ｂにかけて開口した下向きの開口部１４を設けたので、下向き開口部１４に対して、装着者の胸中心側に位置するバスト持上布胸中心側部１３と、脇側に位置するバスト持上布脇側部１１が形成され、肩紐側にはバスト持上布肩紐側部１２を形成している。
ここで、バスト持上布胸側縁部１３ａが乳房カップ部胸側縁部２５ａに、バスト持上布脇側縁部１１ａが乳房カップ部脇側縁部２４ａに、バスト持上布アンダー側縁部１１ｂ、１３ｂが乳房カップ部アンダー側縁部２４ｂとそれぞれ、表側カップ布及び肌側カップ布と縫着している。
一方、バスト持上布１０の下向き開口部１４の周縁部１５は乳房カップ部２０に対して縫着していない。
図３（ハ）に示すように乳房カップ部２０の乳房カップ部アンダー側縁部２４ｂに保護筒布３２を取り付けワイヤー３３を挿入取り付けている。
【００１２】
次に、このブラジャーの乳房への補正作用について説明する。
図２（イ）は正面から見たバスト持上布の動きを矢印で示し、図２（ロ）は側面から見たバスト持上布と乳房の動きを矢印で示す。
分かりやすくするため図２（ロ）は透視図で描いてある。
使用者がこのブラジャー３０を装着し、膨らみのある乳房カップ２０内側に乳房２を収納する。
乳房２は乳房カップ２０の肌側カップ布２２の内側下面２２ａを押し下げつつ乳房カップ２０を変形させようとする。
この乳房カップ２０の変形に対して、バスト持上布１０は下向き開口部１４を設けていることから乳房２による下向きの力を直接受けることはない。
また、バスト持上布１０は乳房カップ部の縁部（乳房カップ部胸側縁部２５ａ、乳房カップ部脇側縁部２４ａ、乳房カップ部アンダー側縁部２４ｂ）とそれぞれ縫着しているが、下向き開口部１４の周縁部１５は乳房カップ２０に縫着されていないので、この逢着されていない部分は表側カップ布２１と裏側カップ布２２に対して摺動自在となっている。
一方、バスト持上布１０は肩紐３１に上部を懸架しているので、乳房２が肌側カップ布２２とともに下がろうとしても、バスト持上布１０は矢印ａの向きに支持され下がらず、相対的に矢印ｃ、ｂ、ｄのように乳房を持ち上げるように作用する。
矢印ｃ、ｄ方向への動きでは、下向き開口部１４を左右方向に狭めるような矢印ｅ、ｆの動きとなり、バスト持上布脇側部１１とバスト持上布胸中心側部１３が、乳房２の左右を締め上げるように働く。
この締め上げは、単に乳房２の左右を挟み上方へ持ち上げる力とはならない。
つまり、バスト持上布１０の胸中心側部１３と脇側部１１をバスト持上布肩紐側部１２側へ互いに引き寄せるように引き上げることとなる。
つまり、図３（イ）に示す変形前の状態から、矢印ｅ、ｆの力が加わり図３（ロ）に示すように下向き開口部１４の幅を狭めるように変形する。
よって、図２においてバスト持上布胸中心側部１３とバスト持上布脇側部１１とが乳房２を互いに略対向して挟みつつ肩紐側へ持ち上げるように作用する。
これにより、乳房の下垂及び脇流れを防止できる。
この時、バスト持上布１０はパワーネット等伸縮性素材で形成していることから、変形性に優れ、乳房に対するフィット性にも優れている。
これにより、乳房２を挟みつつ持ち上げ、乳房２のトップ部２ａを前方へ突き出すように作用する。
従って、バスト持上布肩紐側部１２は矢印ｄの方向に単に肩紐部３１側に引かれるだけでなく、矢印ｂ、ｃ、ｄの方向にバスト持上布胸中心側部１３とバスト持上布脇側部１１を引き上げる。
このバスト持上布肩紐側部１２の動きは、乳房２を前上方ｇへ持ち上げ、膨らませる動きとなる。
そして、バスト持上布肩紐側部１２により、乳房２の前上方部分２ｂを胸３から、前上方へむけて隆起するように膨らませたバストラインを形成することができる。
よって、例えば加齢により前上方部分２ｂが衰えた乳房２に対しても、その前上方部分２ｂを補うことが出来る。
【００１３】
図５に乳房カップ部２０の肩紐側の生地を肩紐部としたブラジャーの実施例を示す。
この場合、バスト持上布１０ａは縫着部２６にて乳房カップ部２０ａと縫着し、肩紐部３１ａの繋ぎ部３１ｂと連結している。
図６は本発明に係る乳房カップ付女性用衣類をボディスーツ４０に適用した実施例を示す。
【図面の簡単な説明】
【００１４】
【図１】本発明に係るブラジャーの装着状態の正面図を示す。
【図２】バスト持上布の動きの説明図を示す。
【図３】（イ）（ロ）はバスト持上布を取り外した図を示し、（ハ）は乳房カップ部付近の断面図を示す。
【図４】本発明に係るブラジャーの要部斜視図を示す。
【図５】乳房カップ部の一部を肩紐部とした場合のブラジャーの実施例を示す。
【図６】本発明に係るボディースーツの実施例を示す。
【符号の説明】
【００１５】
１      装着者
２      乳房
２ａ    乳房の中央部
２ｂ    乳房の前上方位置
３      胸
１０        バスト持上布
１１        バスト持上布脇側部
１１ａ      バスト持上布脇側の縁部
１１ｂ      バスト持上布アンダー側縁部（バスト持上布脇側）
１２        バスト持上布肩紐側部
１３        バスト持上布胸中心側部
１３ａ      バスト持上布胸中心側縁部
１３ｂ      バスト持上布アンダー側縁部（バスト持上布胸中心側）
１４        バスト持上布下向き開口部    
１５        バスト持上布の下向き開口部の周縁部
２０        乳房カップ部
２１        表側カップ布
２２        肌側カップ布
２２ａ      肌側カップ内側下面
２２ｂ      肌側カップ布脇側部
２２ｃ      肌側カップ布胸中心側部
２３ａ      乳房カップトップ部周辺周辺
２３ｂ      乳房カップアンダー部
２４ａ      乳房カップ部脇側縁部
２４ｂ      乳房カップ部アンダー側縁部
２５ａ      乳房カップ部胸中心側縁部
２６      縫着部
３０      ブラジャー
３１、３１ａ  肩紐部
３１ｂ      肩紐部繋ぎ部
３２      保護筒布
３３      ワイヤー
３４      支持帯布
４０      ボディスーツ
【図１】
2005307363.tif 000003
【図２】
2005307363.tif 000004
【図３】
2005307363.tif 000005
【図４】
2005307363.tif 000006
【図５】
2005307363.tif 000007
【図６】
2005307363.tif 000008